(57)【要約】【課題】一方の商品搬出機構が他方の商品搬出機構から離反することを防止できる自動販売機の商品搬出装置を提供する。【解決手段】商品搬送路の最下端の商品を搬出する商品搬出機構が複数設けられ、この商品搬出機構の背面同士が合わせられた姿勢で対となって配設されている自動販売機の商品搬出装置である。前記対となった両方の商品搬出機構に跨って装着される装着部材としての配線保護カバー２１が設けられ、前記配線保護カバー２１に、各商品搬出機構のケース枠２９に取り付けて装着させる取付部３３と、対となった商品搬出機構の少なくとも一方の商品搬出機構が他方の商品搬出機構から離反する方向に移動することを規制する規制部としての外側立設壁部とが設けられている。【選択図】図１３
2017120457.tif 000002
【特許請求の範囲】
【請求項１】
複数の商品が積み重ねて収納された商品搬送路における下端部に臨んで、商品搬送路の最下端の商品を搬出する商品搬出機構が複数設けられ、この商品搬出機構の背面同士が合わせられた姿勢で対となって配設されている自動販売機の商品搬出装置であって、
前記対となった両方の商品搬出機構に跨って装着される装着部材が設けられ、
前記装着部材に、前記商品搬出機構同士の離反方向とは異なる方向から各商品搬出機構に取り付けて装着させる取付部と、対となった商品搬出機構の少なくとも一方の商品搬出機構が他方の商品搬出機構から離反する方向に移動することを規制する規制部とが設けられている
ことを特徴とする自動販売機の商品搬出装置。
【請求項２】
前記装着部材は、前記商品搬出機構に接続された配線を保護する配線保護カバーである請求項１に記載の自動販売機の商品搬出装置。
【請求項３】
前記装着部材に複数の前記取付部が設けられ、それぞれの取付部の取付方向が同じ方向であることを特徴とする請求項１または２に記載の自動販売機の商品搬出装置。
【請求項４】
前記装着部材における取付部が設けられている箇所に、規制部も形成されていることを特徴とする請求項１〜３の何れか１項に記載の自動販売機の商品搬出装置。
【請求項５】
前記装着部材の取付部は、取り付けられる商品搬出機構の枠ケースに形成された被取付部に取付けられ、
前記装着部材の取付部は前記枠ケースに向けて突出した箇所で係合するように設けられていることを特徴とする請求項１〜４の何れか１項に記載の自動販売機の商品搬出装置。
【請求項６】
前記装着部材の取付部に挿入孔が形成され、前記枠ケースに被取付部としての凸状爪部が形成され、前記取付部の挿入孔に前記凸状爪部が挿入されることで、前記装着部材が前記商品搬出機構の枠ケースに取付けられることを特徴とする請求項５に記載の自動販売機の商品搬出装置。
【請求項７】
前記取付部の挿入孔の、一方の商品搬出機構の凸状爪部が挿入される箇所と、他方の商品搬出機構の凸状爪部が挿入される箇所とが、個別に設けられ、これらの挿入孔の間に中間立設壁部が形成されていることを特徴とする請求項６に記載の自動販売機の商品搬出装置。
【請求項８】
前記装着部材における取付部が設けられている箇所とは異なる箇所に規制部が形成されていることを特徴とする請求項１〜３の何れか１項に記載の自動販売機の商品搬出装置。
【請求項９】
前記装着部材の取付部に取付け可能な被取付部が商品搬出機構の複数の箇所に設けられ、前記装着部材が、商品搬出機構に対して複数の方向に装着可能に構成されていることを特徴とする請求項１〜８の何れか１項に記載の自動販売機の商品搬出装置。
【請求項１０】
請求項１〜９の何れか１項に記載の自動販売機の商品搬出装置を備えていることを特徴とする自動販売機。
【発明の詳細な説明】
【技術分野】
【０００１】
本発明は自動販売機の商品搬出装置に関する。
【背景技術】
【０００２】
図２９に示すように、上下方向に延びる商品搬送路８０の下端部に臨むように配設した商品搬出機構８１により、商品搬送路８０の最下端の商品Ｓを順番に下方に搬出する自動販売機は既に知られている。商品搬出機構８１は、背面同士が合わせられた姿勢で対となって配設され、このような構成は、例えば特許文献１、２などに開示されている。
【０００３】
図２９、図３０に示すように、商品搬出機構８１は、商品搬送路８０を形成する商品収納部の所定位置に組付けるために、商品搬送路８０を形成する商品収納部の側壁間にわたって横方向に延びるように２本の固定用ロッド（上支持ロッドおよび下支持ロッド）８６、８７を上位置と下位置とに架け渡し、これらの固定用ロッド８６、８７に商品搬出機構８１を係合させて支持させている。図２９、図３０に示すように、商品搬出機構８１は、商品搬送路８０の下端部で商品詰まりなどを生じた際などに、商品収納部の固定用ロッド８６、８７から取り外すことができるように、商品搬出機構８１のケース枠８３における上端部には上位置の固定用ロッド８６に対して下方から嵌まり合う凹部８３ａ、８３ｂを形成し、ケース枠８３における下端部には下位置の固定用ロッド８７に対して上方から嵌まり合う凹部８３ｃを形成している。
【０００４】
また、図３０に示すように、ケース枠８３の下端部に樹脂製のフック（弾性嵌合部材）８４を取り付けて、このフック８４の弾性を利用して下位置の固定用ロッド８７に、フック８４に形成した湾曲係合部を下方などから係合させるよう構成している。なお、これらの商品搬出機構８１の下面部には、商品搬出機構８１に設けられたソレノイドや売切検知用のセンサなどに接続された接続配線を通すとともに、これらの接続配線が、搬出される商品Ｓに接触して損傷することがないように保護する配線カバー９０が取り付けられる。図示しないが、配線カバー９０には、商品搬出機構８１の下面部に取り付けるための取付部が形成されており、配線カバー９０は商品搬出機構８１の下面部に取り付けられる機能のみを有している。
【先行技術文献】
【特許文献】
【０００５】
【特許文献１】特開２００２−１８３８１９号公報
【特許文献２】特開２００７−２２６３６４号公報
【発明の概要】
【発明が解決しようとする課題】
【０００６】
しかしながら、上記の従来の構造では、自動販売機を輸送するなどして移動する場合の振動などにより、フック８４が下位置の固定用ロッド８７から外れたり、外れかけたりするなどして、一方の商品搬出機構８１が、背中合わせ（背面同士が合わせられた状態）に配設された他方の商品搬出機構８１から離反する不正な姿勢となったり、商品搬出機構８１が固定用ロッドから８６，８７から外れたりすることがある。この場合には、商品搬送路８０の実質的な商品通過寸法が狭くなって商品詰まりなどを生じるなどし、商品Ｓの搬出動作が良好に行われない恐れがあった。
【０００７】
なお、商品搬出機構８１のフック８４が下位置の固定用ロッド８７から外れないように硬くて変形し難いものを用いたり、フック８４が固定用ロッド８７に密接するように構成したりすると、商品搬出機構８１を固定用ロッド８７に組み付ける際に、極めて大きな力が必要となったり嵌め込み作業を行い難くなったりして、組付時の作業能率が低下してしまうため、所定の弾力性を有するフック（弾性嵌合部材）８４を用いるとともに、フック（弾性嵌合部材）８４と下位置の固定用ロッド８７との間にある程度の隙間の余裕があることが好ましい。
【０００８】
本発明は上記課題を解決するもので、一方の商品搬出機構が他方の商品搬出機構から離反することを防止できる自動販売機の商品搬出装置を提供することを目的とするものである。
【課題を解決するための手段】
【０００９】
上記課題を解決するために本発明は、複数の商品が積み重ねて収納された商品搬送路における下端部に臨んで、商品搬送路の最下端の商品を搬出する商品搬出機構が複数設けられ、この商品搬出機構の背面同士が合わせられた姿勢で対となって配設されている自動販売機の商品搬出装置であって、前記対となった両方の商品搬出機構に跨って装着される装着部材が設けられ、前記装着部材に、前記商品搬出機構同士の離反方向とは異なる方向から各商品搬出機構に取り付けられる取付部と、対となった商品搬出機構の少なくとも一方の商品搬出機構が他方の商品搬出機構から離反する方向に移動することを規制する規制部とが設けられていることを特徴とする。
【００１０】
この構成により、商品搬出機構に装着部材を装着すると、一方の商品搬出機構が他方の商品搬出機構から離反する方向に力が作用した場合に、前記一方や他方の商品搬出機構から前記装着部材が外れることを防止できるとともに、装着部材に設けられている規制部により、一方の商品搬出機構が他方の商品搬出機構から離反する方向に移動することが規制されて、一方の商品搬出機構が他方の商品搬出機構から離反することを防止できる。
【００１１】
なお、前記装着部材は、前記商品搬出機構に接続された配線を保護する配線保護カバーであると好適である。この構成によれば、配線保護カバーを用いて商品搬出機構の離反を規制できる。
【００１２】
また、本発明は、前記装着部材に複数の前記取付部が設けられ、それぞれの取付部の取付方向が同じ方向であることを特徴とする。この構成によれば、複数の取付部を設けることで装着部材の商品搬出機構への取り付けを確実なものとするとともに、商品搬出機構に対して装着部材を一方向から装着、取り外しができるので、商品搬出機構のメンテナンス作業等を容易に行うことができる。
【００１３】
また、前記装着部材における取付部が設けられている箇所に、規制部も形成されているよう構成してもよい。この場合に、前記装着部材の取付部を、取り付けられる商品搬出機構の枠ケースに形成された被取付部に取付け、前記装着部材の取付部は前記枠ケースに向けて突出した箇所で係合するように設けられていると好適である。また、前記装着部材の取付部に挿入孔が形成され、前記枠ケースに被取付部としての凸状爪部が形成され、前記取付部の挿入孔に前記凸状爪部が挿入されることで、前記装着部材が前記商品搬出機構の枠ケースに取付けられるよう構成してもよく、さらには、前記取付部の挿入孔の、一方の商品搬出機構の凸状爪部が挿入される箇所と、他方の商品搬出機構の凸状爪部が挿入される箇所とが、個別に設けられ、これらの挿入孔の間に中間立設壁部が形成されているよう構成してもよい。
【００１４】
また、前記装着部材における取付部が設けられている箇所とは異なる箇所に規制部が形成されていてもよい。
【００１５】
また、前記装着部材の取付部に取付け可能な被取付部が商品搬出機構の複数の箇所に設けられ、前記装着部材が、商品搬出機構に対して複数の方向に装着可能に構成されていてもよい。
【発明の効果】
【００１６】
本発明によれば、背面同士が合わせられた姿勢で対となる両方の商品搬出機構に跨って装着される装着部材に、前記商品搬出機構同士の離反方向とは異なる方向から各商品搬出機構に取り付けられる取付部と、対となった商品搬出機構の少なくとも一方の商品搬出機構が他方の商品搬出機構から離反する方向に移動することを規制する規制部とを設けることにより、一方の商品搬出機構が他方の商品搬出機構から離反することを防止できる。
【００１７】
また、この場合に、前記装着部材として、前記商品搬出機構に接続された配線を保護する配線保護カバーを用いることで、配線保護カバーを装着部材として兼用することができて、別途に装着部材を用いなくても済み、別途に装着部材を用いる場合よりも、製造コストを低減できる。
【００１８】
また、前記装着部材に複数の前記取付部が設けられ、それぞれの取付部の取付方向が同じ方向であるように構成することにより、複数の取付部を設けることで装着部材の商品搬出機構への取り付けを確実なものとするとともに、商品搬出機構に対して装着部材を一方向から装着、取り外しができるので、メンテナンス作業等を容易に行うことができる。
【００１９】
また、前記装着部材における取付部が設けられている箇所に、規制部も形成し、前記装着部材の取付部を、取り付けられる商品搬出機構の枠ケースに形成された被取付部に取付け、前記装着部材の取付部を前記枠ケースに向けて突出した箇所で係合するように設けることにより、比較的簡単な構成で、一方の商品搬出機構が他方の商品搬出機構から離反することを防止できる。
【００２０】
また、前記取付部の挿入孔の、一方の商品搬出機構の凸状爪部が挿入される箇所と、他方の商品搬出機構の凸状爪部が挿入される箇所とを、個別に設け、これらの挿入孔の間に中間立設壁部を形成することで、一方の商品搬出機構の凸状爪部が挿入される箇所と、他方の商品搬出機構の凸状爪部が挿入される箇所とを、連なって設けた場合と比較して、前記取付部の剛性を向上させることができる。
【００２１】
また、前記装着部材の取付部に取付け可能な被取付部を商品搬出機構の複数の箇所に設け、前記装着部材が、商品搬出機構に対して複数の方向に装着可能に構成させることで、商品搬出機構に対する装着部材の装着作業を能率よく行うことが可能となる。
【図面の簡単な説明】
【００２２】
【図１】本発明の実施の形態に係る自動販売機の商品搬出装置の側面図である。
【図２】同商品搬出装置の斜視図である。
【図３】同商品搬出装置の正面図である。
【図４】同商品搬出装置が設けられる自動販売機（いわゆるサーペンタイン式の自動販売機）の側面断面図である。
【図５】同自動販売機の斜視図で、外扉および内扉を開けた状態を示す。
【図６】同商品搬出装置が設けられる自動販売機（いわゆる直積み式の自動販売機）の斜視図で、外扉および内扉を開けた状態を示す。
【図７】同自動販売機の商品収納装置の側面図である。
【図８】本発明の実施の形態に係る自動販売機の商品搬出装置を斜め後ろから見た状態を示す斜視図である。
【図９】同商品搬出装置の側面図で、（ａ）は商品を受けて待機している状態を示し、（ｂ）は商品を搬出している状態を示す。
【図１０】同商品搬出装置の商品搬出機構の底面図である。
【図１１】同商品搬出装置の配線保護カバーの斜視図である。
【図１２】同商品搬出装置の商品搬出機構の底部および配線保護カバーの側面図である。
【図１３】同商品搬出装置の商品搬出機構の底部および配線保護カバーの要部拡大斜視図である。
【図１４】同商品搬出装置の商品搬出機構の底部および配線保護カバーの要部斜視図である。
【図１５】同商品搬出装置のケース枠の下面部を簡略的に示す底面図である。
【図１６】同商品搬出装置の配線保護カバーを簡略的に示す平面図である。
【図１７】同商品搬出装置の商品搬出機構の底部および配線保護カバーを簡略的に示す正面図である。
【図１８】本発明の第２の実施の形態に係る商品搬出装置のケース枠の下面部を簡略的に示す底面図である。
【図１９】同商品搬出装置の配線保護カバーを簡略的に示す平面図である。
【図２０】同商品搬出装置の商品搬出機構の底部および配線保護カバーを簡略的に示す正面図である。
【図２１】本発明の第３の実施の形態に係る商品搬出装置のケース枠の下面部を簡略的に示す底面図である。
【図２２】同商品搬出装置の配線保護カバーを簡略的に示す平面図である。
【図２３】同商品搬出装置の商品搬出機構の底部および配線保護カバーを簡略的に示す正面図である。
【図２４】本発明の第４の実施の形態に係る商品搬出装置のケース枠の下面部を簡略的に示す底面図である。
【図２５】同商品搬出装置の配線保護カバーを簡略的に示す平面図である。
【図２６】同商品搬出装置の商品搬出機構の底部および配線保護カバーを簡略的に示す正面図である。
【図２７】本発明の第５の実施の形態に係る商品搬出装置のケース枠の下面部を示す底面図である。
【図２８】同商品搬出装置のケース枠の下面部を簡略的に示す底面図である。
【図２９】従来の本発明の実施の形態に係る自動販売機の商品搬出装置の側面図である。
【図３０】同従来の商品搬出装置の商品搬出機構の側面図である。
【発明を実施するための形態】
【００２３】
以下、本発明の実施の形態に係る自動販売機の商品搬出装置を、図面に基づき説明する。なお、ここで示す実施の形態はあくまでも一例であって、必ずしもこの実施の形態に限定されるものではない。
【００２４】
図１〜図３などに示すように、本発明の自動販売機の商品搬出装置１は、複数の商品Ｓが積み重ねて収納された商品搬送路２における下端部に臨んで、商品搬送路２間に配設される。この商品搬出装置１が設けられる自動販売機は、図４、図５に簡略的に示すように、缶やペットボトルなどの容器に入れられた商品Ｓを蛇行状に上下に収納して最下端の商品を搬出するいわゆるサーペンタイン式の自動販売機１０Ａや、図６、図７に簡略的に示すように、紙パックや缶などに入れられた商品を上下に直積みした状態で収納して最下端の商品を搬出するいわゆる直積み式の自動販売機１０Ｂなどに設けられ、何れの場合にも、商品搬出装置１（詳しくは、商品搬出装置１に設けられている商品搬出機構２０）は、後述するように、商品搬送路２内で搬送されてきた最下端の商品Ｓを下方に搬出する（払い出す）機能を有する。なお、商品搬送路２の商品搬出装置１が臨んで配設されている箇所以外での収納および搬送方向は、何れの方向でも差支えなく、略上下方向に限るものではない。
【００２５】
商品搬送路２は、前後方向および左右に複数設けられ、例えば、図４、図５に示す例や、図６、図７に示す例では、前後に３対の商品搬送路２が設けられている場合を示し、対となった商品搬送路２の下端部間に、商品搬出装置１が配設されている。また、左右にも複数の商品搬送路２が並ぶように配設される。なお、図４〜図６における３は外扉（前面扉とも称せられる）で、自動販売機本体５の前面開口部を開閉可能な状態で支持されている。また、自動販売機本体５には、商品搬送路２および商品搬出装置１を備えてなる商品収納装置４が左右方向に複数列収納されてなる断熱構造の収納断熱庫７が配設され、この収納断熱庫７は、断熱性を有する内扉８により開閉自在とされている。収納断熱庫７内は、冷凍サイクルなどの冷却装置や加熱装置を用いて、冷却または加温される（すなわち商品Ｓが調温される）。また、図４〜図７における１１は商品搬送路２から搬出された商品Ｓを、外扉３の下部に設けられた商品取出口１２に導くシュートである。
【００２６】
図１〜図３などに示すように、商品搬出装置１は、互いに背面同士が合わせられた姿勢（例えば前後に合わせられた姿勢）で対となって配設される商品搬出機構２０と、前記対となった両方の商品搬出機構２０に跨って装着される装着部材の一例としての配線保護カバー２１とから構成されている。商品搬出機構２０は、複数の商品Ｓが積み重ねて収納された商品搬送路２における下端部に臨んで配設されており、商品納搬送路２の最下端の商品Ｓを搬出する。装着部材の一例としての配線保護カバー２１は、商品搬出機構２０に取り付けられて（係止されて）、商品搬出機構２０に接続された接続配線２２などが、商品搬送路２から搬出された商品Ｓなどに当たらないように保護する。
【００２７】
商品搬送路２の両側方には、上下および奥行方向（前後方向）に延びる側板１３が配設されているとともに、側板１３間にわたって、商品搬出機構２０を支持するための上支持ロッド１４と下支持ロッド１５とが左右に延びる姿勢でそれぞれ取り付けられている。そして、商品搬出機構２０は、上支持ロッド１４と下支持ロッド１５との間で、背面同士が合わせられた姿勢で装着される。なお、図６、図７に示された自動販売機１０Ｂでは、上支持ロッド１４と下支持ロッド１５とが、側板１３と、商品搬送路２の反対側に設けられた支持枠（図示省略）となどに取り付けられている。
【００２８】
商品搬出機構２０は、図８、図９（ａ）、（ｂ）に示すように、商品搬送路２の下端の開口部を開閉するように商品搬送路２に出退自在とされて最下端の商品Ｓの落下を阻止する下部ストッパ２３と、商品搬送路２における下部ストッパ２３よりも上方箇所に出退自在とされて下から二番目の商品Ｓの落下を阻止する上部ストッパ２４と、これらを駆動させる駆動源としてのソレノイド２５と、ソレノイド２５の駆動力により、下部ストッパ２３および上部ストッパ２４を連動させる連動レバー２６などからなる連動リンク機構と、商品搬送路２内の商品Ｓの有無を検知する売切検知レバー２７および売切検知センサ２８と、これらの構成要素が組みつけられ、背面側が開放された扁平な箱枠形状のケース枠２９などから構成されている。
【００２９】
ケース枠２９の側面部上端には上支持ロッド１４に下方から嵌りこむ上嵌合凹部２９ａ、２９ｂが形成され、また、ケース枠２９の側面部下端には下支持ロッド１５に上方から嵌りこむ下嵌合凹部２９ｃ、２９ｄが形成されている。また、ケース枠２９の幅方向中央の下端部内側には、樹脂などにより形成されて弾性変形可能とされ、下支持ロッド１５に対して側面視して略円弧状（略Ｃ字形状）に嵌りこむ弾性嵌合材（いわゆるフック）３１が取り付けられている。そして、この商品搬出機構２０を上支持ロッド１４および下支持ロッド１５に組み付ける際には、ケース枠２９の上嵌合凹部２９ａ、２９ｂが上支持ロッド１４に下方から嵌り込むように商品搬出機構２０を下方から押し上げた後に、弾性嵌合材３１が下支持ロッド１５に嵌り込むように商品搬出機構２０を下支持ロッド１５の方に押し込み、下支持ロッド１５に下嵌合凹部２９ｃ、２９ｄが載った状態なるように嵌り込ませることで、商品搬出機構２０を、側板１３などの商品収納装置４を構成するフレーム枠に組付ける（装着する）ようになっている。
【００３０】
ケース枠２９の片側の側面部内側には、ソレノイド２５や売切検知センサ２８に接続されている接続配線２２を案内する配線配設部２９ｅが設けられているとともに、この配線配設部２９ｅを覆う案内カバー（図示せず）が上下などに延びる姿勢で装着されている。また、ケース枠２９には、ソレノイド２５や売切検知センサ２８に接続された接続配線２２やこの接続配線２２に接続ソケット１９などを介して接続された接続配線２２’（図１参照）を案内して保護する上述した装着部材の一例としての配線保護カバー２１が装着される。
【００３１】
図１１〜図１４などに示すように、配線保護カバー２１には、対となった各商品搬出機構２０に取り付ける取付部３３と、対となった商品搬出機構２０の少なくとも一方の商品搬出機構２０が他方の商品搬出機構２０から離反する方向に移動することを規制する規制部（この実施の形態では、後述する外側立設壁部３３ｂ）とが設けられている。この実施の形態では、図１〜図３などに示すように、配線保護カバー２１が、互いに背面同士が合わせられて前後に対となったケース枠２９の下面部に跨った状態で装着されている。
【００３２】
図１２などに示すように、配線保護カバー２１は、側面視して台形や矩形などの中空形状で、下方側が弾性変形して開放可能（図１２において仮想線で示す）とされた樹脂製とされており、図１、図２、図１２などに示すように、接続配線２２、２２’や接続ソケット１９を内部に収納できるようになっている。なお、２１ａは、配線保護カバー２１の下方側領域を開閉自在に係止させる開閉爪、２１ｂは、開閉時に屈曲するヒンジ部である。
【００３３】
図１０〜図１４および図１５〜図１７などに簡略的に示すように、配線保護カバー２１の上面部には、正面視して略Ｌ字状に屈曲した状態で突出する（詳しくは、後述する挿入孔３３ａが設けられている箇所で正面視した場合に略Ｌ字状に屈曲した状態で突出する）取付部３３が一体形成されている。この取付部３３には、一側方に開口して延びる（図１１などにおいては、右側方に開口して左側に延びる）挿入孔３３ａが各商品搬出機構２０のケース枠２９の下面部に対応して前後に２つ形成され、取付部３３には、挿入孔３３ａに隣接して前記規制部として機能する外側立設壁部３３ｂが形成され、２つの挿入孔３３ａの間には中間立設壁部３３ｃが形成されている。なお、本実施の形態では、配線保護カバー２１において、取付部３３が左右の２箇所に形成されている。
【００３４】
ケース枠２９の下面部には、商品搬出機構２０同士が対となって合わせられた状態で取付部３３が嵌合可能な（すなわち、前後方向の片側が解放されており、合わされた際に一つの大きな孔となる）切欠孔３６と、この切欠孔３６の右側端から切欠孔３６の内方に延びて、配線保護カバー２１の取付部３３の挿入孔３３ａに挿入される被取付部としての凸状爪部３５と、凸状爪部３５に隣接して形成されて取付部３３の外側立設壁部３３ｂが挿入される凹状孔部３７とが形成されている。なお、この実施の形態においては、取付部３３に対応するように、ケース枠２９の下面部に、凸状爪部３５や凹状孔部３７、切欠孔３６が左右の２箇所に形成されている。
【００３５】
上記構成において、配線保護カバー２１を商品搬出機構２０のケース枠２９の下面部に取付ける際には、商品搬出機構２０同士を、それぞれ上支持ロッド１４と下支持ロッド１５とにより支持させ、背面同士が前後に合わせられた状態で、配線保護カバー２１の取付部３３を配線保護カバー２１の切欠孔３６に嵌り合うように、配線保護カバー２１をケース枠２９の下面部に対して相対的に上方に移動させる。そして、この後、配線保護カバー２１をケース枠２９の下面部に対して側方（図１３、図１４に示す場合は手前側、図１７に示す場合は、右側方）にスライドさせる。これにより、配線保護カバー２１の取付部３３の挿入孔３３ａにケース枠２９の凸状爪部３５が挿入され、ケース枠２９の凹状孔部３７に配線保護カバー２１の外側立設壁部３３ｂが挿入される。
【００３６】
この結果、ケース枠２９の凸状爪部３５により、配線保護カバー２１の取付部３３（詳しくは、取付部３３における凸状爪部３５の上方に位置する天井部分）が落ちないように支持される。このように上記構成においては、配線保護カバー２１の取付部３３を、対となった商品搬出機構２０の離反方向（前後方向）と直交する方向（左右方向）から各商品搬出機構２０の凸状爪部３５に取り付けられることで、配線保護カバー２１が各商品搬出機構２０に装着される。また、一方の商品搬出機構２０が他方の商品搬出機構２０から離反する方向に移動しようとしても、ケース枠２９の凸状爪部３５が取付部３３の外側立設壁部３３ｂに当接して、前記離反方向に移動することが規制される。
【００３７】
したがって、当該自動販売機１０（１０Ａ，１０Ｂ）を輸送するなどして移動する場合や自動販売機１０（１０Ａ，１０Ｂ）が大きな振動を受けた際に、この際の振動により、弾性嵌合材（フック）３１が下支持ロッド１５から外れかけて、一方の商品搬出機構２０が、背中合わせ（背面同士が合わせられた状態）に配設された他方の商品搬出機構２０から離反しようとした場合でも、離反方向に移動して不正な姿勢となったり、商品搬出機構２０が支持ロッドから外れたりすることが防止される。したがって、商品搬出機構２０が不正な姿勢となって、商品Ｓの搬出動作が不良になることが防止され、良好な信頼性を維持できる。
【００３８】
また、上記構成によれば、規制部が設けられている装着部材として、商品搬出機構２０に接続された配線（接続配線）を保護する配線保護カバー２１を用いているため、配線保護カバー２１を装着部材として兼用することができる。したがって、別途に装着部材を設けなくても済み、製造コストを低減できる。
【００３９】
また、上記実施の形態では、装着部材である配線保護カバー２１の取付部３３に規制部としての外側立設壁部３３ｂを形成しているため、比較的簡単な構造とすることができて、製造コストの増加を最小限に抑えることができる。
【００４０】
また、上記実施の形態では、装着部材である配線保護カバー２１の取付部３３における２つの挿入孔３３ａの間に中間立設壁部３３ｃが形成されている。これにより、中間立設壁部３３ｃが設けられず、挿入孔３３ａ同士がつながっている場合と比較して、取付部３３における挿入孔３３ａが形成されている箇所が上下に広がることを防止できて、取付部３３としての剛性を高めることができ、信頼性が向上する。また、２つの挿入孔３３ａの間に中間立設壁部３３ｃが形成されていることで、ケース枠２９の凸状爪部３５同士が当接して損傷することも防止できて、これによっても信頼性が向上する。
【００４１】
なお、上記実施の形態においては、装着部材である配線保護カバー２１の取付部３３に、規制部として機能する外側立設壁部３３ｂを形成した場合を述べたが、取付部３３とは別の箇所に規制部を設けてもよい。例えば、図１８〜図２０に簡略的に示すように、この例では、上記実施の形態の凸状爪部３５が設けられていないとともに、取付部３３が、正面視して単純に略Ｌ字状に屈曲した状態で突出する形状とされている。したがって、この取付部３３は、配線保護カバー２１を商品搬出機構２０（ケース枠２９）に取り付ける機能を有するが、商品搬出機構２０同士が離反する方向に移動することを防止する機能は有しない。しかしながら、ケース枠２９の下面部に前後方向には解放されていない長孔２９ｆが形成され、配線保護カバー２１には前記長孔２９に嵌り込む規制部の他の例としての規制用突起３８が形成されている。
【００４２】
この構成によれば、対となって合わされた商品搬出機構２０（ケース枠２９）に配線保護カバー２１を取り付けると、ケース枠２９の長孔２９ｆに配線保護カバー２１の規制用突起３８が嵌り込む。これにより、一方の商品搬出機構２０が他方の商品搬出機構２０から離反する方向に移動しようとしても、ケース枠２９に形成されている長孔２９ｆの壁部２９ｆ’に配線保護カバー２１に形成されている規制用突起３８が当接して、前記離反方向に移動することが規制される。
【００４３】
また、上記の実施の形態においては、装着部材としての配線保護カバー２１に、両方のケース枠２９に跨って取り付けられる取付部３３を備えていたが、これに限るものではなく、図２１〜図２３に簡略的に示すように、各ケース枠２９にそれぞれ取り付けられる取付部３９をそれぞれ設けてもよい。この実施の形態では、ケース枠２９に形成された長孔２９ｇが単なる矩形形状であり、配線保護カバー２１の取付部３９が正面視して単純に略Ｌ字状に屈曲した状態で突出する形状とされている。
【００４４】
この構成によっても、装着部材としての配線保護カバー２１の取付部３９を各ケース枠２９の長孔２９ｇに挿入して配線保護カバー２１を取り付けると、一方の商品搬出機構２０が他方の商品搬出機構２０から離反する方向に移動しようとしても、取付部３９の立設している箇所が、ケース枠２９における長孔２９ｇの壁部分２９ｇ’に当接して、商品搬出機構２０が前記離反方向に移動することが規制される。
【００４５】
また、図２４〜図２６に簡略的に示すように、各ケース枠２９にそれぞれ取り付けられる取付部３９に挿入孔３９ａおよび外側立設壁部３９ｂをそれぞれ形成し、各ケース枠２９に長孔２９ｇに加えて、取付部３９の挿入孔３９ａに挿入される凸状爪部４０を形成してもよい。
【００４６】
この構成によっても、装着部材としての配線保護カバー２１の取付部３９を各ケース枠２９の長孔２９ｇに挿入して配線保護カバー２１を取り付けると、一方の商品搬出機構２０が他方の商品搬出機構２０から離反する方向に移動しようとしても、ケース枠２９の凸状爪部４０が取付部３９の外側立設壁部３９ｂに当接して、商品搬出機構２０が前記離反方向に移動することが規制される。
【００４７】
なお、図２１〜図２６に示す実施の形態の場合には、取付部３９が各ケース枠２９に対応して個別に設けるため、配線保護カバー２１の上面から突出する（立設する）箇所の断面積が、図１５〜図２０に示す場合の構造と比較して小さくなる。したがって、配線保護カバー２１を取り付けた際に取付部３９が破損しないように、配線保護カバー２１をなす材料として比較的剛性の大きいものを用いることが好ましい。
【００４８】
また、上記実施の形態では、配線保護カバー２１の取付部３３、３９が複数設けられ、それぞれが同じ方向から商品搬出機構２０に取り付けられる場合を述べ、この構成によれば、複数の取付部３３、３９を設けることで配線保護カバー２１の商品搬出機構２０への取り付けを確実なものとするとともに、商品搬出機構２０に対して配線保護カバー２１を一方向から装着、取り外しができるので、商品搬出機構２０のメンテナンス作業等を容易に行うことができる。しかし、この構成に限るものではなく、例えば図１５〜図１７において、２つの取付部３３の挿入孔３３ａをそれぞれ左右外向きに形成し、ケース枠２９の凸状爪部３５をそれぞれ左右内向きに形成し、配線保護カバー２１を撓ませた状態で商品搬出機構２０に装着する構成としてもよい。
【００４９】
また、上記実施の形態では、配線保護カバー２１の取付部３３、３９を２箇所や４か所に形成した場合を述べたが、これに限るものではなく、配線保護カバー２１の取付部を１箇所のみあるいは３か所以上設けて、これに対応して、取付部により取り付けられる被取付部や規制部、被規制部を形成してもよい。
【００５０】
また、上記実施の形態では、配線保護カバー２１が所定の一側方のみにスライドさせた場合だけ、取付部３３、３９が取り付けられるケース枠２９の凸状爪部３５、４０などの被取付部を形成した場合を述べたが、図２７、図２８に示すように、配線保護カバー２１が両側方など（すなわち、例えば左側方と右側方など）の何れの方向にスライドさせた場合でも、取付部３３、３９を取り付けることができるように、各取付部３３、３９に取り付け（装着）可能な凸状爪部３５、４０などの被取付部を切欠孔３６の両端に形成してもよい。なお、この場合には、配線保護カバー２１としては、図１１〜図１３、図１６と同じ形状のものを用いる。
【００５１】
この構成の場合には、商品搬出機構２０の取付姿勢に関わらず（すなわち、商品搬出機構２０の組付け方向を下から覗き込むなどして確認しなくても）、配線保護カバー２１を所定の方向に移動させて容易に取り付けることができて、組付け時の作業能率が向上する。
【００５２】
また、上記実施の形態では、配線保護カバー２１に、上方に突出する取付部３３、３９を設けた場合を述べたが、これに限るものではなく、配線保護カバー２１をケース枠２９に取り付ける取付部として孔形状部や凹形状部を形成し、ケース枠２９の被取付部として下面から下方に突出する爪形状などに形成してもよい。但し、この場合には、ケース枠２９の下面に下方に突出する部分が形成されるため、メンテナンス時などに、商品搬出機構２０を床などに置く際に、前記爪形状の突出する部分が損傷しないように注意する必要がある。
【００５３】
また、上記実施の形態では、商品搬出機構２０に装着する装着部材として、配線保護カバー２１を用いた場合を述べたが、これに限るものではなく、対となった商品搬出機構２０に跨って装着される別途の部材に、取付部や規制部を形成しても、商品搬出機構２０同士が離反することを防止することができる。また、この場合には、商品搬出機構２０の上面部に装着する装着部材を設けて、この装着部材に取付部や規制部を設けてもよい。
【符号の説明】
【００５４】
１      商品搬出装置
２      商品搬送路
３      外扉
４      商品収納装置
５      自動販売機本体
７      収納断熱庫
８      内扉
１０、１０Ａ、１０Ｂ    自動販売機
１３    側板
１４    上支持ロッド
１５    下支持ロッド
１９    接続ソケット
２０    商品搬出機構
２１    配線保護カバー（装着部材）
２２、２２’    接続配線
２３    下部ストッパ
２４    上部ストッパ
２５    ソレノイド（駆動源）
２８    売切検知センサ
２９    ケース枠
２９ａ、２９ｂ    上嵌合部
２９ｃ、２９ｄ    下嵌合部
２９ｆ、２９ｇ    長孔
３１    弾性嵌合材（フック）
３３、３９    取付部
３３ａ、３９ａ    挿入孔
３３ｂ、３９ｂ    外側立設壁部（規制部）
３３ｃ    中間立設壁部
３５、４０    凸状爪部（被取付部）
３６    切欠孔
３７    凹状孔部
３８、４１    規制用突起（規制部）
Ｓ      商品
【図１】
2017120457.tif 000003
【図２】
2017120457.tif 000004
【図３】
2017120457.tif 000005
【図４】
2017120457.tif 000006
【図５】
2017120457.tif 000007
【図６】
2017120457.tif 000008
【図７】
2017120457.tif 000009
【図８】
2017120457.tif 000010
【図９】
2017120457.tif 000011
【図１０】
2017120457.tif 000012
【図１１】
2017120457.tif 000013
【図１２】
2017120457.tif 000014
【図１３】
2017120457.tif 000015
【図１４】
2017120457.tif 000016
【図１５】
2017120457.tif 000017
【図１６】
2017120457.tif 000018
【図１７】
2017120457.tif 000019
【図１８】
2017120457.tif 000020
【図１９】
2017120457.tif 000021
【図２０】
2017120457.tif 000022
【図２１】
2017120457.tif 000023
【図２２】
2017120457.tif 000024
【図２３】
2017120457.tif 000025
【図２４】
2017120457.tif 000026
【図２５】
2017120457.tif 000027
【図２６】
2017120457.tif 000028
【図２７】
2017120457.tif 000029
【図２８】
2017120457.tif 000030
【図２９】
2017120457.tif 000031
【図３０】
2017120457.tif 000032